(57)【要約】【課題】  有害粉塵等が含まれた汚染雰囲気から効率良く安全に有害粉塵等を回収する集塵機を提供すること。【解決手段】  吸気口と排気口とを備え、内部に排気室と集塵室が区画された筐体と、上記排気室と集塵室の境界付近に設けられ、筐体外の汚染雰囲気を吸引し、有害粉塵等を取り除いた浄化雰囲気を筐体外に排出する吸排気ファンと、集塵室内に設けられる使い捨てタイプのメインフィルタとを具備し、上記吸排気ファンは筐体外の汚染雰囲気を強制吸引する高速運転状態と、筐体内を減圧状態にし浄化未完了雰囲気の筐体外への漏出を防止する低速運転状態とに切り換えることができ、メインフィルタの交換に際して吸排気ファンを低速運転状態で運転するようにしたもの。【選択図】  図４
0003116230.tif 000002
【実用新案登録請求の範囲】
【請求項１】
吸気口と排気口とを備え内部に排気室と集塵室が区画された状態で設けられている筐体と、
上記排気室と集塵室の境界付近に設けられ、筐体外の汚染雰囲気を吸引し有害粉塵等を取り除いた浄化雰囲気を筐体外に排出する吸排気ファンと、
上記集塵室内に設けられる使い捨てタイプのメインフィルタと、を具備し、
上記吸排気ファンは筐体外の汚染雰囲気を強制吸引する高速運転状態と、筐体内を減圧状態にして浄化未完了雰囲気の筐体外への漏出を防止する低速運転状態とに切り換えることができ、
上記メインフィルタの交換に際しては上記吸排気ファンを低速運転状態で運転するようにしたことを特徴とする集塵装置。
【請求項２】
請求項１に記載の集塵装置において、
上記メインフィルタには上記吸気口に接続される接続筒部が設けられていて、
上記接続筒部にはメインフィルタ交換時において使用済みのメインフィルタの接続筒部を閉塞する結束紐が予め取り付けられていることを特徴とする集塵装置。
【請求項３】
請求項２記載の集塵装置において、
上記結束紐は、メインフィルタの接続筒部を閉塞するための第１結束紐と、上記第１結束紐によって閉塞した接続筒部に別の袋体を被せてその上から閉塞する第２結束紐とから構成されていることを特徴とする集塵装置。
【請求項４】
請求項３記載の集塵装置において、
上記筐体には主に使用済みのメインフィルタを取り外す際の予備作業に使用する回収扉と、主にメインフィルタを交換する際に使用する口径の大きな交換口とが設けられていて、
上記回収扉には更にリーク窓を兼ねた小窓が設けられており、
上記接続筒部を結束紐で結束するに際しては上記回収扉を開けて作業するようにしたことを特徴とする集塵装置。
【請求項５】
請求項４記載の集塵装置において、
上記集塵室におけるメインフィルタの下流にはメインフィルタによって捕集できなかった微細粉塵等を捕集するためのサブフィルタが設けられていることを特徴とする集塵装置。
【請求項６】
請求項５記載の集塵装置において、
上記メインフィルタの上端部には内部を覗ける透明部が設けられていて、上記筐体にも上記メインフィルタの透明部に対応する透明部が設けられていて、筐体外部からメインフィルタ内を覗けるように構成されていることを特徴とする集塵装置。
【考案の詳細な説明】
【技術分野】
【０００１】
本考案は集塵装置に係り、特に、アスベスト等の有害粉塵等を安全に効率良く回収し得るように工夫したものに関する。
【背景技術】
【０００２】
従来から発癌性物質として知られているアスベスト等の有害粉塵等の吸引公害が問題になっている。アスベストは微細な粉塵として浮遊するため、アスベスト等の回収施工分野では上記有害粉塵等を吸引しないように防塵マスクが使用され、上記有害粉塵が付着しないように難不着性の材料によって形成されている作業服等が着用されている。
一方、木工、塗装等の分野では工場内に浮遊する埃や塵あるいは木粉やミスト状の塗料を強制吸引し、回収するために集塵装置が使用されている。しかし上記アスベスト等の有害粉塵等は捕集後の二次曝露等の問題もあって、上記既存の集塵装置をそのまま流用することは不可能である。
尚、従来の集塵装置の構成を開示するものとして、例えば、特許文献１、特許  文献２等がある。
【０００３】
【特許文献１】特開２００３−１５９５４７号公報
【特許文献２】特開２００４−２７５８００号公報
【考案の開示】
【考案が解決しようとする課題】
【０００４】
上記背景技術及び背景技術が抱えていた問題点を踏まえて本考案が解決しようとする課題を整理すると、捕集後の二次曝露等のおそれがなく、アスベスト等の有害粉塵等の回収にも安心して使用できる集塵装置を開発することである。
【０００５】
本考案はこのような点に基づいてなされたものでその目的とするところは、有害粉塵等が含まれた汚染雰囲気から効率良く有害粉塵等を回収すると共に回収した有害粉塵等を外部に漏出させることなく、捕集した有害粉塵等の二次曝露を防止できる安全性にも優れた集塵装置を提供することにある。
【課題を解決するための手段】
【０００６】
上記目的を達成するべく本願考案の請求項１による集塵装置は、吸気口と排気口とを備え、内部に排気室と集塵室が区画された状態で設けられている筐体と、  上記排気室と集塵室の境界付近に設けられ、筐体外の汚染雰囲気を吸引し、有害粉塵等を取り除いた浄化雰囲気を筐体外に排出する吸排気ファンと、上記集塵室内に設けられる使い捨てタイプのメインフィルタとを具備し、上記吸排気ファンは筐体外の汚染雰囲気を強制吸引する高速運転状態と、筐体内を減圧状態にして浄化未完了雰囲気の筐体外への漏出を防止する低速運転状態とに切り換えることができ、上記メインフィルタの交換に際しては上記吸排気ファンを低速運転状態で運転するようにしたことを特徴とするものである。
又、請求項２による集塵装置は、請求項１に記載の集塵装置において、上記メインフィルタには上記吸気口に接続される接続筒部が設けられていて、上記接続筒部にはメインフィルタ交換時において使用済みのメインフィルタの接続筒部を閉塞する結束紐が予め取り付けられていることを特徴とするものである。
又、請求項３による集塵装置は、請求項２記載の集塵装置において、上記結束紐は、メインフィルタの接続筒部を閉塞するための第１結束紐と、上記第１結束紐によって閉塞した接続筒部に別の袋体を被せてその上から閉塞する第２結束紐とから構成されていることを特徴とするものである。
又、請求項４による集塵装置は、請求項３記載の集塵装置において、上記筐体には主に使用済みのメインフィルタを取り外す際の予備作業に使用する回収扉と、主にメインフィルタを交換する際に使用する口径の大きな交換口とが設けられていて、上記回収扉には更にリーク窓を兼ねた小窓が設けられており、上記接続筒部を結束紐で結束するに際しては上記回収扉を開けて作業するようにしたことを特徴とするものである。
又、請求項５による集塵装置は、請求項４記載の集塵装置において、上記集塵室におけるメインフィルタの下流にはメインフィルタによって捕集できなかった微細粉塵等を捕集するためのサブフィルタが設けられていることを特徴とするものである。
又、請求項６による集塵装置は、請求項５記載の集塵装置において、上記メインフィルタの上端部には内部を覗ける透明部が設けられていて、上記筐体にも上記メインフィルタの透明部に対応する透明部が設けられていて、筐体外部からメインフィルタ内を覗けるように構成されていることを特徴とするものである。
【考案の効果】
【０００７】
したがって、本考案による集塵装置によると、吸気口と排気口とを備え、内部に排気室と集塵室が区画された状態で設けられている筐体と、上記排気室と集塵室の境界付近に設けられ、筐体外の汚染雰囲気を吸引し、有害粉塵等を取り除いた浄化雰囲気を筐体外に排出する吸排気ファンと、上記集塵室内に設けられる使い捨てタイプのメインフィルタとを具備した構成になっているので、吸気口から集塵室内に取り込まれた汚染雰囲気は集塵室内のメインフィルタによって有害粉塵等が捕集され、浄化雰囲気となって排気口から筐体外へ効率良く排出される。またメインフィルタ内に捕集された有害粉塵等は開封することなくメインフィルタと共に廃棄されるため二次曝露のおそれも軽減されている。
又、上記吸排気ファンは筐体外の汚染雰囲気を強制吸引する高速運転状態と、筐体内を減圧状態にして浄化未完了雰囲気の筐体外への漏出を防止する低速運転状態とに切り換えることができ、上記メインフィルタの交換に際しては上記吸排気ファンを低速運転状態で運転するようにしているので、メインフィルタ交換時にメインフィルタによって捕集できなかった微細な有害粉塵等が集塵室に残っていたとしても、当該有害粉塵等は筐体外に漏出しないため、当該有害粉塵等の二次曝露は高いレベルで防止されている。
又、上記メインフィルタには上記吸気口に接続される接続筒部が設けられていて、上記接続筒部にはメインフィルタ交換時において使用済みのメインフィルタの接続筒部を閉塞する結束紐が予め取り付けられている場合には、メインフィルタと吸気口の接続が容易且つ確実になり、使用済みメインフィルタを取り出す際の有害粉塵等の二次曝露が確実に防止されるためメインフィルタの交換が効率良く安心してできるようになる。
又、上記筐体には主に使用済みのメインフィルタを取り外す際の予備作業に使用する回収扉と、主にメインフィルタを交換する際に使用する口径の大きな交換口とが設けられていて、上記回収扉には更にリーク窓を兼ねた小窓が設けられており、上記接続筒部を結束紐で結束するに際しては上記回収扉を開けて作業するようにした場合には、有害粉塵等の二次曝露のおそれのある接続筒部の取り外し時には口径の小さな回収扉を使用し、二次曝露のおそれの少ないメインフィルタの交換時には口径の大きな交換扉を開けて使用済みのメインフィルタを取り出し、未使用のメインフィルタを取り付けることができるのでメインフィルタ交換時における有害粉塵等の二次曝露は極めて高いレベルで防止される。
又、上記集塵室におけるメインフィルタの下流にはメインフィルタによって捕集できなかった微細粉塵等を捕集するためのサブフィルタが設けられている場合には、効率の良い有害粉塵等の回収が実行され、メインフィルタでは捕集できなかった微細粉塵等も捕集されるため集塵装置の安全性が一層高まる。
又、上記メインフィルタの上端部に内部を覗ける透明部を設けて、上記筐体にも上記メインフィルタの透明部に対応する透明部を設けて、筐体外部からメインフィルタ内を覗けるように構成した場合には、機械の外部からメインフィルタ内を確認して粉塵等の捕集状態を確認することができる。
【考案を実施するための最良の形態】
【０００８】
以下、図１乃至図６を参照して本考案の一実施の形態を説明する。本考案の集塵装置１は、例えば、アスベスト等が吹き付けられた壁や天井等を取り壊す建物の解体現場等において使用でき、当該解体現場の適宜の個所に複数台の集塵装置１を設置して使用される。
集塵装置１にはまず吸気口３と排気口５とを備え、内部に排気室７と集塵室９が区画された筐体１１が設けられている。筐体１１は角箱状の部材で前面の中央上部に制御盤１３が設けられている。又、制御盤１３の前面には運転、停止、後述する吸排気ファン１５の風量を切り換える各種のスイッチ１７が設けられている。
【０００９】
筐体１１の右側面にはメインフィルタ１９を交換する際に使用する口径の大きな交換口２１が設けられている。この交換口２１には開閉式の交換扉２３が取り付けられていて、パチン錠等の適宜の固定具２５を利用して常時は閉塞状態になっている。
又、筐体１１の左側面には吸排気ファン１５用の点検口２７が設けられている。この点検口２７には上述した交換扉２３と同様の構成を有し固定具２５を利用して固定される開閉式の点検扉２９が取り付けられている。
【００１０】
筐体１１の上面には左端側に上端に上記排気口５が形成された排気ダクト３１が設けられている。又、筐体１１の上面の右端後部寄りには主に使用済みのメインフィルタ１９を取り外す際の予備作業に使用する回収扉３３が設けられている。
尚、この回収扉３３は上記交換口２１よりも口径の小さな図示しない角穴状の回収窓を閉塞する部材で、この回収扉３３には更にリーク窓を兼ねた小窓３５が設けられている。
因みに、上記回収扉３３は後述するメインフィルタ１９の接続筒部３７を当該接続筒部３７に対して予め取り付けられている結束紐３９を使用して結束し閉塞する際に使用される。
【００１１】
筐体１１の背面の中央幾分右寄りの上部には一例として円筒状の吸気口３が設けられている。そしての吸気口３の途中にはストップバルブ４３が設けられていて、このストップバルブ４３を操作することによって吸気と吸気停止の切り換えを行なっている。又、筐体１１の底面の四隅のコーナー部には筐体１１の移動を容易にするためのキャスタ４５が設けられている。
【００１２】
筐体１１の内部は仕切壁４７によって左側に排気室７、右側に集塵室９、そして中間に中間室４９の３つの部屋によって一例として区画されている。また仕切壁４７には図示しない連通口が設けられていて、集塵室９から中間室４９を通って排気室７に至る風ないし雰囲気の流れを可能にしている。
排気室７には集塵装置１の給排気駆動を司る吸排気ファン１５が設けられている。吸排気ファン１５は駆動源であるモータ５１と、モータ５１の出力軸に取り付けられる羽根車５３と、羽根車５３を覆っている渦巻き型のフード５５とによって構成されている。
又、吸排気ファン１５は筐体１１外の汚染雰囲気Ａを強制吸引する通常の高速運転状態と、筐体１１内を減圧状態にし、浄化未完了雰囲気Ｂの筐体１１外への漏出を防止する低速運転状態とに切り換えることができるようになっている。
【００１３】
集塵室９には吸気口３に近い上流側にメインフィルタ１９、その下流側、中間室４９との仕切壁４７の壁面にサブフィルタ５７が設けられている。メインフィルタ１９は比較的容量の大きな上下端面が閉塞された円筒袋状の部材であり、その側周部には接線方向に延びる小径の接続筒部３７が一体に設けられている。
接続筒部３７の中間付近には一例として２本の結束紐３９、３９が予め取り付けられている。上記結束紐３９、３９は、紐の中央部がメインフィルタ１９に固着されていて両端が自由になった状態になっている。使用時にはその両端を巻きつけて結束するものである。
尚、この結束紐３９、３９はメインフィルタ１９の交換時において使用済みのメインフィルタ１９の上記接続筒部３７を閉塞し、回収した有害粉塵Ｇ等の漏出を防止する目的で使用される。
【００１４】
又、メインフィルタ１９は上記吸排気ファン１５によって生起された風ないし浄化雰囲気Ｃの通過は許容するが、有害粉塵Ｇ等の通過は許容しないように作用する所定メッシュの不織布等によって形成されている。又、このメインフィルタ１９は使い捨て仕様であり、有害粉塵Ｇ等を捕集した使用済みのメインフィルタ１９は当該有害粉塵Ｇ等と共に廃棄される。
そして集塵室９には上下端が開放された湾曲板状のフィルタガイド６３が設けられており、このフィルタガイド６３を案内として上記メインフィルタ１９はセットされる。
【００１５】
又、上記メインフィルタ１９の上端面には、図２に示すように、透明部１９ａが設けられている。この透明部１９ａは、例えば、透明な樹脂製のものであって、メインフィルタ１９の内部を覗くことができるように構成されている。又、上記メインフィルタ１９の透明部１９ａに対応するように、図４に示すように、筐体１１にも透明部１１ａが設けられている。この透明部１１ａ、メインフィルタ１９の透明部１９ａを介してメインフィルタ１９の内部を覗き、メインフィルタ１９内の粉塵の捕集状態を確認しようとするものである。
【００１６】
一方、サブフィルタ５７としては一例としてＨＥＰＡ（へパ）フィルタが使用でき、上記メインフィルタ１９によっては捕集し切れなかった微細粉塵ｇ等の回収を目的とする。
【００１７】
次にこのようにして構成される本実施の形態に係る集塵装置１の作動態様とメインフィルタ１９の交換の手順を（１）強制吸引時、（２）接続筒部の結束、（３）メインフィルタの交換に分けて説明する。
（１）強制吸引時（図４参照）
制御盤１３の前面に設けられているスイッチ１７を操作して吸排気ファン１５を高速運転状態にする。これにより吸排気ファン１５の羽根車５３は高速で回転するようになり、吸気口３から筐体１１内に汚染雰囲気Ａが勢いよく取り込まれて行く。
【００１８】
筐体１１内に至った汚染雰囲気Ａは吸気口３の基端部に一例としてバンド５９によって固定されている接続筒部３７を通って螺線状に流れ、メインフィルタ１９内に至る。そしてこのメインフィルタ１９によって汚染雰囲気Ａ中に含まれているほとんどの有害粉塵Ｇ等が捕集され、メインフィルタ１９によっては捕集し切れなかった微細粉塵ｇ等を含んだ浄化未完了雰囲気Ｂがその下流に位置するサブフィルタ５７に至る。
【００１９】
サブフィルタ５７では浄化未完了雰囲気Ｂ中に含まれている微細粉塵ｇ等が捕集され、微細粉塵ｇ等が捕集された浄化雰囲気Ｃは仕切壁４７に形成されている連通口を通って集塵室９から途中、中間室４９を経て排気室７に至る。
そして排気室７に至った浄化雰囲気Ｃは吸排気ファン１５の羽根車５３の回転に伴ってフード５５の内周面に沿って下方に流れ、その後排気室７を上昇して排気ダクト３１上面の排気口５から筐体１１外に排出される。
【００２０】
（２）接続筒部の結束（図５参照）
メインフィルタ１９内に有害粉塵Ｇ等が蓄積され、いっぱいになったら以下の手順でメインフィルタ１９を交換する。
まず制御盤１３の前面にあるスイッチ１７を操作して吸排気ファン１５を低速運転状態に切り換えると共にストップバルブ４３を閉じる。又、リーク窓３５を開放する。
尚、該低速運転状態でも筐体１１内の減圧状態は維持されるため筐体１１内の浄化未完了雰囲気Ｂの筐体１１外への漏出は生じない。
又、上記減圧状態によって交換扉２３は交換口２１に密着された状態になっており交換口２１からの浄化未完了雰囲気Ｂの漏出も生じない。
【００２１】
次に、回収扉３３を開けて開口した回収口に手を入れてバンド５９を外し、一方の結束紐３９を使用して接続筒部３７の口元を結束し閉塞状態とする。又、上記口元には有害粉塵Ｇが付着していることが予想されるため、その上に別途用意しておいたビニール袋６１等を被せてもう１本の結束紐３９を使用してビニール袋６１等と共にもう一度接続筒部３７の口元を結束する。
【００２２】
（３）メインフィルタの交換（図６参照）
次に交換扉２３を開けて集塵室９内の使用済みのメインフィルタ１９を筐体１１外に取り外す。
尚、交換扉２３を開けた状態でも筐体１１内の減圧状態は保たれているため浄化未完了雰囲気Ｂの漏出は生じない。
又、浄化未完了雰囲気Ｂ中に含まれている微細粉塵ｇ等や上記メインフィルタ１９の取り出しの際に発生し集塵室９内に侵入した粉塵は下流に位置するサブフィルタ５７によって捕集され、回収されるため作業者が当該発生した粉塵や上記微細粉塵ｇ等の曝露を受けたり、筐体１１外へ上記粉塵や微細粉塵ｇ等が漏出することはない。
そして使用済みのメインフィルタ１９をそのまま有害粉塵Ｇ等と共に指定された場所に廃棄し、未使用のメインフィルタ１９を集塵室９内のフィルタガイド６３にセットし、メインフィルタ１９の接続筒部３７をバンド５９等を使用して吸気口３に接続し固定する。
【００２３】
尚、本考案は上述した実施の形態に限定されるものではない。
例えば、メインフィルタ１９のみによって微細粉塵ｇ等を含むすべての有害粉塵Ｇ等を回収できる場合にはサブフィルタ５７を省略することが可能である。
又、筐体１１内に設けた中間室４９を省略して排気室７と集塵室９のみによって筐体１１内を区画することも可能である。
又、接続筒部３７に設けた結束紐３９に代えて粘着テープやゴムバンド等、他の封止手段を設けることも可能である。
【産業上の利用可能性】
【００２４】
本考案は、アスベスト等の有害粉塵等の吸引のおそれのある作業現場や当該作業現場で使用される集塵装置の製造分野等で利用でき、特に集塵能力に優れ、二次曝露のおそれがなく安心して作業を行いたい場合に利用可能性を有する。
【図面の簡単な説明】
【００２５】
【図１】本考案の一実施の形態を示す図で、集塵装置の正面図である。
【図２】本考案の一実施の形態を示す図で、集塵装置の平面図である。
【図３】本考案の一実施の形態を示す図で、集塵装置の左側面図である。
【図４】本考案の一実施の形態を示す図で、強制吸引時の雰囲気の流れを示す平面図である。
【図５】本考案の一実施の形態を示す図で、図５（ａ）は接続筒部の結束の様子を示す平面図、図５（ｂ）はビニール袋を被せて結束する様子を示す平面図である。
【図６】本考案の一実施の形態を示す図で、図６（ａ）は使用済みのメインフィルタを撤去する様子を示す平面図、図６（ｂ）は新しいメインフィルタを搬入する様子を示す平面図である。
【符号の説明】
【００２６】
１    集塵装置
３    吸気口
５    排気口
７    排気室
９    集塵室
１１  筐体
１５  吸排気ファン
１９  メインフィルタ
Ａ  汚染雰囲気
Ｂ  浄化未完了雰囲気
Ｃ  浄化雰囲気
Ｇ  有害粉塵
【図１】
0003116230.tif 000003
【図２】
0003116230.tif 000004
【図３】
0003116230.tif 000005
【図４】
0003116230.tif 000006
【図５】
0003116230.tif 000007
【図６】
0003116230.tif 000008